(57)【特許請求の範囲】
【請求項１】
籠室の外周を囲う側壁の上端に接合される本天井と、
前記側壁から一定の隙間を空けて前記本天井の下方に配置される意匠天井と、を備え、
前記意匠天井は、
並べて配置される複数の天井セグメントと、
前記天井セグメントを前記本天井に対して保持する固定具と、
前記本天井または前記本天井に固定されている部材に対してスライド嵌合させて装着され前記固定具を覆い隠すエンドカバーと、
前記エンドカバーと前記側壁との間から操作され前記本天井または前記本天井に固定されている部材に対して前記エンドカバーを締め付けるクイックファスナと、を含む
ことを特徴とするエレベータの乗籠。
【請求項２】
前記クイックファスナは、
最後に組み立てられる前記天井セグメントに固定される係止受座と、
前記エンドカバーに固定される基台と、
前記基台に連結されて回動するレバーと、
前記レバーの回動軸中心から離れた位置に連結されて前記係止受座に掛けられる係止片と、を含む
ことを特徴とする請求項１に記載されたエレベータの乗籠。
【請求項３】
前記クイックファスナは、
最後に組み立てられる前記天井セグメントに固定される係止受座と、
前記エンドカバーに固定され前記係止受座にスライド嵌合することで前記天井セグメントに前記エンドカバーを固定する係止ブロックと、を含む
ことを特徴とする請求項１に記載されたエレベータの乗籠。
【請求項４】
前記クイックファスナは、
最後に組み立てられる前記天井セグメントに固定される係止受座と、
前記エンドカバーに固定される基台と、
前記基台を貫通して前記係止受座に差し込まれ前記基台に嵌合するピンと、を含む
ことを特徴とする請求項１に記載されたエレベータの乗籠。
【請求項５】
前記固定具は、先に組み立てられる前記天井セグメントを前記本天井に固定し次に組み立てられる前記天井セグメントによって覆い隠される中間固定具と、最後に組み立てられる前記天井セグメントを前記本天井に固定する終端固定具と、を含む
ことを特徴とする請求項１に記載されたエレベータの乗籠。
【請求項６】
前記終端固定具によって前記本天井に固定される前記天井セグメントは、前記エンドカバーが装着される側に係合部を有し、
前記エンドカバーは、前記係合部が配置された前記天井セグメントに押し当てて水平方向へスライドされることによって前記係合部に嵌合する被係合部を有する
ことを特徴とする請求項５に記載されたエレベータの乗籠。
【請求項７】
前記クイックファスナは、
最後に組み立てられる前記天井セグメントに取り付けられた前記係合部と、
前記エンドカバーに取り付けられ前記係合部に前記被係合部が嵌合する位置で前記係合部を拘束する係止フックと、を含む
ことを特徴とする請求項６に記載されたエレベータの乗籠。
【請求項８】
前記本天井に後から組み立てられる前記天井セグメントは、先に前記本天井に組み立てられた前記天井セグメントの一部に引っ掛けられる連結具を備えている
ことを特徴とする請求項１に記載されたエレベータの乗籠。
【請求項９】
前記本天井は、前記天井セグメントを並べて配置する方向に沿って延びるレールを下面に有し、
前記天井セグメントは、前記レールに装着されて、前記中間固定具および前記終端固定具で前記本天井に固定される
ことを特徴とする請求項５に記載されたエレベータの乗籠。
【請求項１０】
前記レールは、一定の間隔で切欠部を複数有し、
前記天井セグメントは、前記切欠部を通過して前記切欠部どうしの間の区間の前記レールに吊り下がるための懸垂アームを有する
ことを特徴とする請求項９に記載されたエレベータの乗籠。
【請求項１１】
複数のうち少なくとも１つの前記天井セグメントは、照明装置が組み込まれている
ことを特徴とする請求項１に記載されたエレベータの乗籠。
【発明の詳細な説明】
【技術分野】
【０００１】
本発明の実施形態は、複数のパネルで構成されるエレベータの乗籠に関する。
【背景技術】
【０００２】
エレベータの乗籠は、昇降路内で組み立てられる。乗籠の天井が複数のパネルで構成されている場合、昇降路の外で１枚に組み合わせたのち、乗籠を着床させている階よりも上の階から搬入され、または、昇降路の中で組み合わされて、天井として取り付けられる。いずれの場合も、天井を構成するパネルどうしを接合する部分は、乗籠の外側に設けられる。乗籠の天井と側壁の結合作業において、乗籠の内部から作業を行いかつ結合部が見えないように、外周縁を下方及び内側に折り曲げた屈曲下縁を側壁の上端にボルトで結合できるように工夫された乗籠もある。
【０００３】
また、乗籠の天井として、乗籠の屋根に相当する本天井と乗籠の室内側に見える意匠天井とを備える二重構造、いわゆる二重天井が知られている。この天井は、本天井と意匠天井とを組み合わせて一体にされたあと、昇降路に搬入して組み付けられる。
【先行技術文献】
【特許文献】
【０００４】
【特許文献１】実開昭５２−６１８４８号公報
【特許文献２】実公昭５０−１７１５９号公報
【特許文献３】特開平１０−２３１０７８号公報
【特許文献４】実開昭６１−１４６９７３号公報
【発明の概要】
【発明が解決しようとする課題】
【０００５】
しかしながら、二重天井を一体に組み立てると、天井の総重量はかなり重くなるとともに、天井を昇降路内へ搬入する際の取り扱いが困難である。天井と側壁の結合作業を乗籠内部から行える構造にした場合、本天井を設置する作業は、改善される。ところが、この構造を二重天井に応用しようとした場合、本天井と意匠天井を別々に組み立てる必要が生じる。このとき、本天井と側壁、本天井と意匠天井、分割構造の意匠天井どうしをそれぞれ結合するための締結部材が乗籠内から見えないようにする必要がある。これらの条件をすべて取り入れると、締結具に工具が届かない、あるいは、作業する手元を確認しにくいということになり、作業性が著しく低下する。
【０００６】
また、意匠天井は、照明装置が組み込まれた構成であることが多い。このような意匠天井は、照明器具を交換する必要が生じた場合に作業員が簡単に取り外せる構造であることが望まれる。しかし、ちょっとした衝撃や悪戯などによって外れてしまわない程度にしっかりと固定されなければならない。
【０００７】
そこで、本発明の一実施形態は、簡単な構造で乗籠の中から取り付け取り外しが容易であり、かつ、意匠性に優れたエレベータの乗籠を提供する。
【課題を解決するための手段】
【０００８】
一実施形態の乗籠は、本天井と意匠天井とを備える。本天井は、籠室の外周を囲う側壁の上端に接合される。意匠天井は、側壁から一定の隙間を空けて本天井の下方に配置される。この意匠天井は、複数の天井セグメントと固定具とエンドカバーとクイックファスナとを含む。天井セグメントは、並べて配置される。固定具は、天井セグメントを本天井に対して保持する。エンドカバーは、固定具を覆い、本天井または本天井に固定されている部材に対してスライド嵌合させて装着され、固定具を覆い隠す。クイックファスナは、エンドカバーと側壁との間から操作され、本天井または本天井に固定されている部材に対してエンドカバーを締め付ける。
【図面の簡単な説明】
【０００９】
【図１】第１の実施形態の乗籠を示す分解斜視図。
【図２】図１に示した乗籠の天井と側壁の接合部の断面図。
【図３】図１に示した乗籠の天井のレールと天井セグメントの接合部の分解斜視図。
【図４】図３に示したレールに天井セグメントを装着した状態を下から見た斜視図。
【図５】図４に示した天井セグメントを本天井及びレールに固定する状態の斜視図。
【図６】図１に示した意匠天井の天井セグメントのうち最後に本天井に設置された天井セグメントにエンドカバーを装着する前の分解斜視図。
【図７】図６に示した天井セグメントにエンドカバーを装着した後の斜視図。
【図８】第２の実施形態の乗籠の意匠天井を構成する天井セグメントのうち最初に本天井に取り付けられる天井セグメントを示す斜視図。
【図９】第２の実施形態の乗籠の意匠天井を構成する天井セグメントのうち２番目以降に本天井に取り付けられる天井セグメントを示す斜視図。
【図１０】図８に示した天井セグメントを本天井に設置した乗籠の上部の断面図。
【図１１】図１０の状態からさらに図９に示した天井セグメントを本天井に設置する状態を示す乗籠の上部の断面図。
【図１２】図１１の状態から残りの天井セグメント取り付け終わりエンドカバーを装着する状態の乗籠の上部の断面図。
【図１３】図１２に示した乗口側のエンドカバーおよびその周辺の断面図。
【図１４】図１２に示した奥側のエンドカバーおよびその周辺の断面図。
【図１５】第３の実施形態の乗籠の最後に装着される天井セグメントとエンドカバーを接合するクイックファスナを示す分解斜視図。
【図１６】図１５に示したクイックファスナが結合された状態の断面図。
【図１７】第４の実施形態の乗籠の最後に設置される天井セグメントにエンドカバーを装着する前の状態のクイックファスナおよびその周辺を示す分解斜視図。
【図１８】図１７に示したクイックファスナの正面図。
【図１９】第５の実施形態の乗籠の意匠天井の下面図。
【図２０】第６の実施形態の乗籠の意匠天井の下面図。
【発明を実施するための形態】
【００１０】
第１の実施形態のエレベータの乗籠１について、図１から図７を参照して説明する。図１に示す乗籠１は、床２と、側壁３と、天井４とを備える。床２は、上面の外周に沿って幅木となる枠２１を有している。側壁３は、枠２１の上に接合される複数の側部パネル３１で構成され、乗口１ａ側を除いて籠室１００の外周を囲う。隣り合う側部パネル３１どうしは、籠室１００の外側に向かって延びるフランジ３１１を側部に有し、互いにボルトとナットで締結される。また側壁３の上端は、受座３２を有している。この受座３２は、側部パネル３１の上端をすべて同じ高さで外側に向かって折り曲げられさらに一定の距離だけ離れたところで上方へ折り曲げられることによって形成される。籠室１００に対して外側になる受座３２の起立部３２１の外側に、複数のナット３２２が取り付けられている。
【００１１】
天井４は、図１に示す本天井４１と意匠天井４２とを備える。この天井４は、乗籠１の外殻の一部を形成する本天井４１の下に、籠室１００内に面して意匠天井４２が吊下げられた、いわゆる二重天井である。本天井４１の外周縁は、側壁３の上端に形成された受座３２に嵌るように、外周が下方へ折り曲げられたあと内側に折り曲げられている。本天井は、図１に示すように、乗口１ａを通過する方向を横切る方向に渡される複数の天井パネル４１１で構成されている。
【００１２】
本天井４１を側壁３の上端と接合する場合、本天井４１を昇降路の外で組み上げた後で昇降路内に持ち込み、側壁３に接合してもよいし、天井パネル４１１を個別に籠室１００へ乗口１ａから搬入し、側壁３の上端に接合していくことで本天井４１を組み立ててもよい。
【００１３】
図２に示すように本天井４１または天井パネル４１１は、側壁３の受座３２に乗った状態で保持されるので、側壁３に対して仮固定する必要が無い。また、天井パネル４１１は、受座３２の起立部３２１に取り付けられたナット３２２に対応する位置にボルト孔を有しており、籠室１００内から装着されるボルト４１２によって、側壁３の上端に接合される。乗籠１に生じる捻れや歪を吸収する緩衝材として、天井パネル４１１と側壁３の受座３２との間にゴムシートなどの弾性部材を挿入してもよい。隣り合う天井パネル４１１どうしは、下向きに折り曲げられる縁をボルトおよびナットで連結されるか、補強材で連結される。
【００１４】
意匠天井４２は、図１や図３に示す天井セグメント４２１，４２２と、図５および図６に示す固定具４２３と、図６に示すエンドカバー４２４と、図６および図７に示すクイックファスナ４２５とを備える。意匠天井４２は、図１に示すように複数の天井セグメント４２１，４２２とエンドカバー４２４との下面によって意匠面を構成している。意匠天井４２の外周は、側壁３に対して一定の隙間が空くように形成され、本天井４１の下方に配置されている。
【００１５】
天井セグメント４２１，４２２は、乗籠１の乗口１ａ側から奥側に向かって隙間無く並べて配置される。天井セグメント４２１，４２２は、箱型に形成されており、図２及び図３に示すように乗口１ａを通過する方向を横切る方向において両端となる部分に懸垂アーム４２６を有している。懸垂アーム４２６は、天井セグメント４２１，４２２を構成する部材と一体に形成されていてもよいし、別部品で装着されていてもよい。
【００１６】
天井パネル４１１は、図１および図２に示すようにレール４３を下面に有している。このレール４３は、天井セグメント４２１，４２２が並ぶ方向に沿って側壁３の近傍に配置されており、天井パネル４１１の補強材としても機能する。乗籠１に加わる捻れや歪による応力を緩和するために、レール４３と天井パネル４１１との間に防振ゴムなどの弾性部材４１３が装着される。天井セグメント４２１，４２２は、図２に示すように懸垂アーム４２６によって吊下げられるようにこのレール４３に装着され、図５および図６に示す固定具４２３によって本天井４１に対して固定される。
【００１７】
レール４３は、図３に示すように一定の間隔で切欠部４３１を複数有している。切欠部４３１の形状は、懸垂アーム４２６の先端部の形状に対応している。図２に示すように、天井セグメント４２１，４２２は、側壁３までの距離を調整できる程度にレール４３に対して係合する部分に調整代を有している。天井セグメント４２１，４２２の懸垂アーム４２６は、取り付けられる位置に近い切欠部４３１から通過させる。先に組み立てられた天井セグメント４２１に向けて図３に示すようにスライドさせることによって、懸垂アーム４２６は、切欠部４３１どうしの間の区間に位置する。
【００１８】
固定具４２３は、図３および図５に示す中間固定具４２３Ａと図６に示す終端固定具４２３Ｂとの２種類が用意される。中間固定具４２３Ａは、図３に示すように先に組み立てられる天井セグメント４２１を本天井４１に対して固定し、次に組み立てられる天井セグメント４２１，４２２によって覆い隠される。つまり最後に本天井４１に取り付けられる天井セグメント４２２を除きすべての天井セグメント４２１は、中間固定具４２３Ａによって本天井４１に固定される。
【００１９】
中間固定具４２３Ａは、図３に示すように次に取り付けられる天井セグメント４２１，４２２に対面する部分に取り付けられる。したがって、先に取り付けた天井セグメント４２１を固定する中間固定具４２３Ａが次に取り付ける天井セグメント４２１，４２２の妨げにならないように、天井セグメント４２１は、中間固定具４２３Ａと連結されるタブ４２７を有している。そして、２番目以降に取り付けられる天井セグメント４２１，４２２は、図３および図４に示すように先に付けた中間固定具４２３Ａと干渉しないように、対応する位置に切欠部４２８を有している。
【００２０】
構造上また意匠上のいずれにおいても、天井セグメント４２１，４２２が高さ方向に十分な寸法を確保できれば、タブ４２７と切欠部４２８は、どちらか一方を備えていればよい。タブ４２７は、天井セグメント４２１をレール４３に装着する際に作業の邪魔にならない程度の長さ、すなわち、懸垂アーム４２６よりもやや低い高さにする。中間固定具４２３Ａを連結するためにタブ４２７に開けられる孔４２７ａは、図３および図４に示すように高さ方向に長い長孔にする。これによって、中間固定具４２３Ａは、本天井４１に対して天井セグメント４２１の下面の位置を調整できる。
【００２１】
中間固定具４２３Ａは、図５に示すように、本天井４１、天井セグメント４２１、レール４３のそれぞれに接合される。中間固定具４２３Ａは、本天井４１にボルト４１ｂで固定され、天井セグメント４２１のタブ４２７にボルト４２７ｂとナット４２７ｃで固定され、レール４３にボルト４３ｂで固定される。中間固定具４２３Ａが取り付けられる位置に対応する本天井４１の上面には、図２に示すように予めナット４１ｃが取り付けられている。また中間固定具４２３Ａが取り付けられる位置に対応するレール４３には、フレア加工によって形成された孔４３ｃにネジ溝が加工されている。ネジ溝を加工する代わりに、ナットを取り付けてもよい。
【００２２】
天井セグメント４２１の内側に隠れるボルト４２７ｂまたはナット４２７ｃは、タブ４２７に形成された孔４２７ａに対して一部が嵌り込む凸部を有すると、中間固定具４２３Ａをタブ４２７に固定するときの作業性がよくなる。レール４３を横切る方向に天井セグメント４２１，４２２の取り付け位置を微調整するために、タブ４２７と接合される部分の中間固定具４２３Ａの孔４２３ａは、図５に示すようにレール４３を横切る方向に長い長孔である。
【００２３】
また、天井セグメント４２１どうしの間に隙間が生じないように、先に取り付けた天井セグメント４２１に対して次に取り付ける天井セグメント４２１を押し当てることができるように、本天井４１およびレール４３に接合される部分に開けられる中間固定具４２３Ａの孔４２３ｂ，４２３ｃは、図３および図５に示すようにレール４３に沿う方向に長い長孔である。
【００２４】
最後に取り付けられる天井セグメント４２２を除いて、天井セグメント４２１は、中間固定具４２３Ａによって本天井４１およびレール４３に固定される。そして、中間固定具４２３Ａは、次に組み立てられる天井セグメント４２１，４２２によって覆い隠される。
【００２５】
終端固定具４２３Ｂは、図６に示すように最後に組み立てられる天井セグメント４２２を本天井４１に固定する。第１の実施形態において終端固定具４２３Ｂは、中間固定具４２３Ａと同じ形状である。そこで、中間固定具４２３Ａの部分と同じ機能を有する終端固定具４２３Ｂの部分には、同じ符号を付し、中間固定具４２３Ａについて既に説明した記載を参酌する。また、図６において終端固定具４２３Ｂを本天井４１、レール４３および天井セグメント４２２に固定するボルトは省略されているだけで、図２や図５同様に取り付けられる。
【００２６】
なお、終端固定具４２３Ｂは、この次に組み立てられる天井セグメントが無いため、中間固定具４２３Ａと同じ形状である必要は無い。また、天井セグメント４２２の重量は、懸垂アーム４２６によって概ね保持されるので、終端固定具４２３Ｂは、天井セグメント４２２がレール４３に沿って移動しないように保持できればよい。したがって、天井セグメント４２２を本天井４１に接続するために、ブラケットを天井セグメント４２２の中央部分に配してもよいし、天井セグメント４２２の一部を本天井４１に達するように形成してこの部分を本天井４１に固定してもよい。つまり、終端固定具４２３Ｂは、籠室１００内から見えないように隠されるものであれば、形状はどのようなものであってもよい。
【００２７】
また、天井セグメント４２１，４２２の端部に配置される懸垂アーム４２６を掛けるために、第１の実施形態においてレール４３は、側壁３の近傍に配置している。懸垂アーム４２６を天井セグメント４２１，４２２の中央寄りに配置する場合、レール４３は懸垂アーム４２６の位置に対応させて本天井４１の中央寄りに取り付ける。
【００２８】
エンドカバー４２４は、本天井４１または本天井４１に固定されている部材にスライド嵌合させて装着され、固定具４２３である終端固定具４２３Ｂを覆い隠す。第１の実施形態において、エンドカバー４２４は、図７に示すように、最後に組み立てられた天井セグメント４２２にスライド嵌合させることによって装着される。天井セグメント４２２とエンドカバー４２４をスライド嵌合させる機構は、図６に示す係合部４４Ａと被係合部４４Ｂで構成される。
【００２９】
第１の実施形態において、天井セグメント４２２は、エンドカバー４２４が装着される側に係合部４４Ａを有し、エンドカバー４２４は、この係合部４４Ａが配置された位置に対応して被係合部４４Ｂを有している。係合部４４Ａおよび被係合部４４Ｂは、エンドカバー４２４を天井セグメント４２２に対して押し当ててスライドさせることで互いに嵌合する機能を有していれば、どのような構造のものも許容される。
【００３０】
図６に示す係合部４４Ａは、先端に鍔４４１を有したスタッドである。図６に示す被係合部４４Ｂは、係合部４４Ａが取り付けられた天井セグメント４２２の側面に対面するエンドカバー４２４に直接形成されている。この被係合部４４Ｂは、係合部４４Ａの鍔４４１を通過させる孔４４３と、係合部４４Ａのステム４４２が通過し鍔４４１が引っ掛かる大きさにこの孔４４３から水平方向へ切り欠かれるスロット４４４とを設けることによってエンドカバー４２４に造られている。ステム４４２の長さは、被係合部４４Ｂが形成されたエンドカバー４２４の部材の厚みよりもやや大きい。係合部４４Ａと被係合部４４Ｂを嵌合させたときのがた付きをなくすために、スロットの縁を厚み方向にステム４４２の長さよりもやや大きく反り返らせるかうねりをつける。
【００３１】
なお、天井セグメント４２２にエンドカバー４２４をスライド嵌合させる構造において、エンドカバー４２４に係合部４４Ａを取り付け、天井セグメント４２２に被係合部４４Ｂを設けてもよい。また、係合部４４Ａと被係合部４４Ｂの構成は、鍔つきの係合部４４Ａとその係合部４４ａに嵌合するいわゆるダルマ孔に限定されない。例えば、互いに向かって突出するタブを天井セグメント４２２およびエンドカバー４２４のそれぞれに折り起こして形成し、天井セグメント４２２に対してエンドカバー４２４を押し当てて水平方向へ滑らせたときに、タブを刳り貫いたことによって形成される孔にこれらタブどうしが刺さり合うように嵌合させてもよい。
【００３２】
クイックファスナ４２５は、最後に組み立てられた天井セグメント４２２に対して装着された状態のエンドカバー４２４と側壁３との間から操作され、本天井４１または本天井４１に固定された部材に対してエンドカバー４２４を締め付ける。第１の実施形態においてクイックファスナ４２５は、図６および図７に示すように、本天井４１に肯定された部材である最後に組み立てられた天井セグメント４２２とエンドカバー４２４との間にまたがって設置される。
【００３３】
このクイックファスナ４２５は、図６および図７に示すように係止受座４２５Ａと基台４２５Ｂとレバー４２５Ｃと係止片４２５Ｄとを含む。係止受座４２５Ａは、最後に組み立てられる天井セグメント４２２に固定されている。基台４２５Ｂは、エンドカバー４２４に固定されている。レバー４２５Ｃは、基台４２５Ｂに連結されており、エンドカバー４２４から離れる方向に回動する。係止片４２５Ｄは、レバー４２５Ｃの回動中心から離れた位置に連結されたリングであって、係止受座４２５Ａに掛けられる。
【００３４】
以上のように構成されたクイックファスナ４２５は、エンドカバー４２４を天井セグメント４２２にスライド嵌合させた状態で、エンドカバー４２４から離れる方向へ図６に示すようにレバー４２５Ｃを起こすと、係止片４２５Ｄが係止受座４２５Ａに届くようになる。図７に示すようにレバー４２５Ｃをエンドカバー４２４に沿うように倒すと係止片４２５Ｄが係止受座４２５Ａを引っ張るので、エンドカバー４２４は、天井セグメント４２２に締め付けられる。エンドカバー４２４は、天井セグメント４２２との間に隙間を生じないし、がたつくこともない。
【００３５】
第１の実施形態の乗籠１において、意匠天井４２は、図１に示すように最初に組み立てられる天井セグメント４２１と乗口１ａとの間に化粧パネル４５を有している。この化粧パネル４５は、天井セグメント４２１を組み立てる前に本天井４１にブラケット４５１で取り付けられる。また、籠室１００内部を照明する照明器具は、天井セグメント４２１，４２２に搭載されていてもよいし、本天井４１に固定されていてもよい。照明器具の配置および照明デザインに応じて、天井セグメント４２１，４２２の下面に投光部が設けられる。
【００３６】
以上のように構成されたエレベータの乗籠１は、天井４を構成する本天井４１および意匠天井４２を乗籠１の中から組み立てることができる。そして、本天井４１および意匠天井４２を固定するためのボルト４１２，４１ｂ，４２７ｂ，４３ｂやナット３２２，４１ｃ，４２７ｃ，４３ｃの締結具、係合部４４Ａおよび被係合部４４Ｂ、固定具４２３、並びにクイックファスナ４２５が、籠室１００内部から見えないように隠される。したがって、籠室１００内からみた場合の天井４の意匠性が優れている。さらに、締結具や固定具が見えないので、悪戯されることによって、意匠天井４２が外されない。意匠天井４２を分解する場合、エンドカバー４２４を固定しているクイックファスナ４２５を解除し、組み立てたときと逆の手順でエンドカバー４２４および天井セグメント４２１，４２２を分解すればよい。
【００３７】
第２の実施形態のエレベータの乗籠１について、図８から図１４を参照して説明する。第１の実施形態の乗籠１と同じ機能を有する構成は、各図中において同一の符号を付し、細部の説明は、第１の実施形態において乗籠１の構造を説明する記載および図面を参酌する。図８に示す天井セグメント４２１は、最初に本天井４１に取り付けられる天井セグメントであって、４つのブラケット４２３Ｃを有している。このブラケット４２３Ｃは、固定具の一形態であり、籠室１００の乗口１ａから奥へ向かう方向を横切る側部に取り付けられている。籠室１００の奥側に面した側部に取り付けられたブラケット４２３Ｃは、中間固定具４２３Ａに相当する。
【００３８】
図９に示す天井セグメント４２１，４２２は、２番目以降に本天井４１に取り付けられる天井セグメントであって、１つの連結具４２３Ｄと２つのブラケット４２３Ｃ有している。連結具４２３Ｄは、図９に示すように先に組み立てられた天井セグメント４２１に面した本天井４１側の縁に取り付けられたプレートであり、図１１及び図１２に示すように乗口１ａ側に配置され、先に本天井４１に組み立てられた天井セグメント４２１の縁と本天井４１との間に差し込まれる。ブラケット４２３Ｃは、固定具の一形態であり、籠室１００の奥側に面した側部の内側に取り付けられている。
【００３９】
最後に取り付けられる天井セグメント４２２以外の天井セグメント４２１のブラケット４２３Ｃは、中間固定具４２３Ａに相当し、次の天井セグメント４２１，４２２を装着することによって覆い隠される。最後に取り付けられる天井セグメント４２２のブラケット４２３Ｃは、終端固定具４２３Ｂに相当する。図１０から図１２に示すようにブラケット４２３Ｃが固定される部分に対応する本天井４１には、籠室１００内からボルト４１ｂを締め付けられるように、ナット４１ｃが取り付けられている。
【００４０】
図９に示した天井セグメント４２１，４２２は、籠室１００に面した下面に投光部４６を有し、アクリル製樹脂などで作られた投光板４６１が取り付けられている。天井セグメント４２１，４２２の内部に照明器具を内蔵してもよい。照明器具の配置は、照明のデザインによるので、どのように配置するか適宜選択される。したがって、投光部４６は、図８に示す天井セグメント４２１に設けられてもよい。また、２番目以降に取り付けられる天井セグメント４２１，４２２であっても、図９に示す投光部４６がなくてもよい。
【００４１】
天井セグメント４２１，４２２は、図１０から図１２に示す手順で本天井４１に設置される。図８に示した天井セグメント４２１が図１０に示すようにブラケット４２３Ｃによってまず本天井４１に固定される。次に図１１に示すように、先に取り付けた天井セグメント４２１と本天井４１との間に連結具４２３Ｄを差し込まれ、図９に示した天井セグメント４２１，４２２が本天井４１に固定される。意匠天井４２を構成する天井セグメント４２１，４２２の数だけ最後に取り付けられる天井セグメント４２２まで図１１に示す手順で本天井４１に固定される。すべての天井セグメント４２１，４２２が取り付けられたのち、乗口１ａ側および奥側にエンドカバー４２４Ａ，４２４Ｂが装着される。
【００４２】
意匠天井４２の一部として籠室１００の乗口１ａ側に装着される第１のエンドカバー４２４Ａは、図１３に示す。第１のエンドカバー４２４Ａは、最初に本天井４１に設置された天井セグメント４２１の乗口１ａ側のブラケット４２３Ｃを覆い隠す。意匠天井４２の一部として籠室１００の奥側に装着される第２のエンドカバー４２４Ｂは、図１４に示す。第２のエンドカバー４２４Ｂは、最後に本天井４１に設置された天井セグメント４２２の奥側のブラケット４２３Ｃを覆い隠す。いずれのエンドカバー４２４Ａ，４２４Ｂも、第１の実施形態のエンドカバー４２４と同様に、天井セグメント４２１，４２２に当接する部分に対して水平方向へスライド嵌合する機構を有している。
【００４３】
図１３に示す第１のエンドカバー４２４Ａは、専用に用意された支持ブラケット４７と最初に本天井４１に固定された天井セグメント４２１にそれぞれ貫通するプッシュ式のクイックファスナ４２５を備えている。このクイックファスナ４２５は、天井セグメント４２１に固定される係止受座４２５Ａと、第１のエンドカバー４２４Ａに固定される基台４２５Ｂと、基台４２５Ｂを貫通して係止受座４２５Ａに差し込まれた状態で基台４２５Ｂと嵌合するピン４２５Ｅとで構成される。
【００４４】
ピン４２５Ｅは、第１のエンドカバー４２４Ａと天井セグメント４２１とを連結させる先端側の第１のロッド４２５Ｆと、支持ブラケット４７と第１のエンドカバー４２４Ａとを連結される操作側の第２のロッド４２５Ｇとを備えている。第２のロッド４２５Ｇは、第１のロッド４２５Ｆよりも一回り太い。第１のロッド４２５Ｆは、第１のエンドカバー４２４Ａを天井セグメント４２１にスライド嵌合させるまでは天井セグメント４２１に対して引っ込んでいる。係止受座４２５Ａは、第１のエンドカバー４２４Ａが天井セグメント４２１にスライド嵌合した状態で第１のロッド４２５Ｆが差し込まれる位置に配置されている。
【００４５】
支持ブラケット４７は、第１のエンドカバー４２４Ａを天井セグメント４２１に装着する際に第１のロッド４２５Ｆが通過するガイドスロット４７１と、第１のエンドカバー４２４Ａが天井セグメント４２１にスライド嵌合した位置で第２のロッド４２５Ｇが差し込まれるロック穴４７２とを有している。第１のエンドカバー４２４Ａが天井セグメント４２１に嵌合した位置で、第１のエンドカバー４２４Ａと側壁３との間からピン４２５Ｅを押し込むことによって、第１のロッド４２５Ｆが係止受座４２５Ａに、第２のロッド４２５Ｇが支持ブラケット４７のロック穴４７２にそれぞれ差し込まれ、第１のエンドカバー４２４Ａは天井セグメント４２１および本天井４１と結合される。
【００４６】
図１４に示す籠室１００の奥側に装着される第２のエンドカバー４２４Ｂは、第１の実施形態と同様に、最後に本天井４１に固定された天井セグメント４２２に対してスライド嵌合された状態で第２のエンドカバー４２４Ｂを天井セグメント４２２に固定するプッシュ式のクイックファスナ４２５を有している。このクイックファスナ４２５は、乗口１ａ側のクイックファスナ４２５と同様に係止受座４２５Ａと基台４２５Ｂとピン４２５Ｅとを有している。ピン４２５Ｅの構造は、乗口１ａ側のクイックファスナ４２５よりも簡単な構造で、第１のロッド４２５Ｆのみである。第２のエンドカバー４２４Ｂが天井セグメント４２２にスライド嵌合した位置で、第２のエンドカバー４２４Ｂと側壁３との間から操作してピン４２５Ｅを押し込むことによって、第１のロッド４２５Ｆが係止受座４２５Ａに差し込まれ、第２のエンドカバー４２４Ｂは天井セグメント４２２に結合される。
【００４７】
以上のように構成された第２の実施形態の乗籠１は、第１の実施形態の乗籠１と同様に、天井４を構成する本天井４１および意匠天井４２の両方を籠室１００から組み立てることができる。先に本天井４１に組み立てた天井セグメント４２１を利用して次に設置する天井セグメント４２１，４２２を取り付けていくので、作業も迅速に進む。また、この乗籠１において、固定具となるブラケット４２３Ｃは第１のエンドカバー４２４Ａおよび第２のエンドカバー４２４Ｂで覆われてしまうので、天井４を籠室１００側から見たときの意匠性にも優れている。またエンドカバー４２４は、クイックファスナ４２５によって天井セグメント４２１，４２２に固定される。クイックファスナ４２５は、エンドカバー４２４と側壁の隙間から操作される。したがって、いたずらなどによってエンドカバー４２４が外される心配がないとともに、作業員が意匠天井４２を分解する場合にも操作が簡単である。
【００４８】
なお、先に取り付けられた天井セグメント４２１に対して次に設置する天井セグメント４２１，４２２を引っ掛けて留める構造は、図９に示した連結具４２３Ｄに限らず、エンドカバー４２４Ａ，４２４Ｂを天井セグメント４２１，４２２に結合させる係合部４４Ａと被係合部４４Ｂのようにスライド嵌合する構造でもよい。
【００４９】
第３の実施形態のエレベータの乗籠１について、図１５および図１６を参照して説明する。乗籠１の全体構造は、第１の実施形態の乗籠１と同じであるので、同じ機能を有する構成は、各図において同一の符号を付し、細部の説明は、第１の実施形態において乗籠１の構造を説明した記載及び図面を参酌する。
【００５０】
第３の実施形態の乗籠１は、エンドカバー４２４を天井セグメント４２２に結合させるためのクイックファスナ４２５の構造が異なる。図１５に示すクイックファスナ４２５は、最後に組み立てられる天井セグメント４２２に固定される係止受座４２５Ａと、エンドカバー４２４に固定される係止ブロック４２５Ｈとを含む。係止ブロック４２５Ｈは、天井セグメント４２２に対してエンドカバー４２４をスライドさせることによって係止受座４２５Ａと嵌合され、かつ、図１６に示すように嵌合された位置で係止受座４２５Ａに引っ掛かりエンドカバー４２４を天井セグメント４２２に固定する爪４２５Ｋを有している。係止ブロック４２５Ｈは、爪４２５Ｋを解除するための操作部４２５Ｌを有している。
【００５１】
このクイックファスナ４２５は、第１の実施形態のように奥側のエンドカバー４２４のみならず、第２の実施形態のように乗口１ａ側および奥側の両側にエンドカバー４２４Ａ，４２４Ｂが採用される場合は、これらのエンドカバー４２４Ａ，４２４Ｂにも適用される。このクイックファスナ４２５を備えると、スライド嵌合させると同時にエンドカバー４２４が天井セグメント４２２に結合され、操作が簡単である。また、作業員が意匠天井４２を分解する場合にもクイックファスナ４２５を解除する操作が簡単である。
【００５２】
第４の実施形態のエレベータの乗籠１について、図１７および図１８を参照して説明する。乗籠１の全体構造は、第１の実施形態の乗籠１と同じであるので、同じ機能を有する構成は、各図において同一の符号を付し、細部の説明は、第１の実施形態において乗籠１の構造を説明した記載及び図面を参酌することとする。
【００５３】
第４の実施形態の乗籠１は、エンドカバー４２４を天井セグメント４２２に結合させるためのクイックファスナ４２５の構造が異なる。このクイックファスナ４２５は、エンドカバー４２４を天井セグメント４２２にスライド嵌合させるために天井セグメント４２２側に用意された図１７に示す係合部４４Ａと、エンドカバー４２４に取り付けられた係止フック４２５Ｍとを含む。係合部４４Ａは、第１の実施形態に示したスタッドと同形状のものである。係止フック４２５Ｍは、エンドカバー４２４に被係合部４４Ｂとして設けられたいわゆるだるま穴の近傍に用意され、係合部４４Ａが被係合部４４Ｂに嵌合する位置において図１８に示すように係合部４４Ａのステム４４２に引っ掛かり、この係合部４４Ａを拘束する。係止フック４２５Ｍは、回動させることによって係合部４４Ａに掛けられているので、エンドカバー４２４と側壁３の間から簡単に操作することができる。
【００５４】
第５の実施形態のエレベータの乗籠１について、図１９を参照して説明する。乗籠１の全体構造は、第１の実施形態の乗籠１と同じであるので、同じ機能を有する構成は、各図において同一の符号を付し、細部の説明は、第１の実施形態において乗籠１の構造を説明した記載及び図面を参酌することとする。
【００５５】
図１９に示す第５の実施形態の乗籠１の意匠天井４２は、乗口１ａ側から奥側に向かって並ぶ複数の天井セグメント４２１，４２２と、乗口１ａ側に装着される始端側の第１のエンドカバー４２４Ａと、奥側に装着される第２のエンドカバー４２４Ｂとを備える。第５の実施形態における意匠天井４２の天井セグメント４２１，４２２は、第１の実施形態と同じくレール４３によって天井セグメント４２１，４２２を簡単に本天井４１に組み付けられ、第２に実施形態と同じ構造の第１のエンドカバー４２４Ａと第２のエンドカバー４２４Ｂを後から装着する。
【００５６】
最初に本天井４１に組み立てられる天井セグメント４２１は、乗口１ａ側に設置される第１のエンドカバー４２４Ａがないので、レール４３または本天井４１に用意される当り止めに当接させて位置決めされる。最初に本天井４１に組み立てられる天井セグメント４２１は、乗口１ａ側をブラケット４２３Ｃとボルト４１ｂで本天井４１に固定してもよい。
【００５７】
第６の実施形態のエレベータの乗籠１について、図２０を参照して説明する。乗籠１の全体構造は、第１の実施形態の乗籠１と同じであるので、同じ機能を有する構成は、各図において同一の符号を付し、細部の説明は、第１の実施形態において乗籠１の構造を説明した記載及び図面を参酌することとする。
【００５８】
図２０に示す第６の実施形態の乗籠１の意匠天井４２は、乗口１ａから奥に向かう方向を横切る方向へ並ぶ複数の天井セグメント４２９と、乗口１ａ側に装着される第１のエンドカバー４２４Ａと奥側に挿着される第２のエンドカバー４２４Ｂとを備える。第６の実施形態における意匠天井４２の各天井セグメント４２９は、乗口１ａ側の端部及び奥側の端部に固定具の一形態である接合片４２３Ｅを有している。接合片４２３Ｅは、天井セグメント４２９の部材を延長して形成されていてもよいし、別部品で取り付けられたものであってもよい。接合片４２３Ｅは、天井セグメント４２９を本天井４１に固定する。接合片４２３Ｅが取り付けられる位置に対応する本天井４１の上には、ナットまたはスタッドボルトがあらかじめ用意されている。
【００５９】
すべての天井セグメント４２９を本天井４１に取り付けたあと、第１のエンドカバー４２４Ａおよび第２のエンドカバー４２４Ｂは、第１から第４の実施形態に示したクイックファスナ４２５のいずれかによって、固定される。第１のエンドカバー４２４Ａ及び第２のエンドカバー４２４Ｂのそれぞれ係合部４４Ａと連結される被係合部４４Ｂは、係合部４４Ａに対応する位置にある天井セグメント４２９の外周に取り付けられている。クイックファスナ４２５の構造および操作については、先の実施形態において説明済であるので、対応する記載および図面を参酌する。
【００６０】
なお、第１の実施形態から第６の実施形態において、エンドカバーを固定するための被係合部やクイックファスナの係止受部は、天井セグメントの外周に配置されているだけでなく、本天井に取り付けられる専用のブラケットに配置したり、本天井そのものに直接エンドカバーを固定するように配置したりしてもよい。
【００６１】
また、第１の実施形態から第６の実施形態の乗籠１は、いずれも乗口１ａが１つの乗籠１を示している。第１から第６の実施形態に示した乗籠１の天井４の構造を組み合わせて応用すれば、乗口１ａを２つ有した乗籠１にも第１から第６の実施形態に示した乗籠１の天井４を採用できる。例えば、乗籠１の対面する側壁３に乗口１ａが配置される場合、最初に本天井４１に対して固定する図８に示した天井セグメント４２１を、乗籠１の中央に取り付ける。そして、それぞれの乗口側へと残りの天井セグメント４２１，４２２を装着し、最後に乗口側のエンドカバー４２４Ｂをそれぞれ装着する。
【００６２】
また、乗籠１の隣り合う側壁３に乗口１ａが配置される場合、どちらか一方の乗口１ａ側から順番に天井セグメント４２１を装着し、最後に装着された天井セグメント４２２の終端固定具４２３Ｂを覆うようにエンドカバー４２４を装着する。そして、天井セグメントを装着し始めた乗口に隣り合う乗口に面した部分、すなわち天井セグメント４２１が並ぶ側部に、第６の実施形態に示した乗口側のエンドカバー４２４Ａと同じような構造のエンドカバー４２４を装着する。
【００６３】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…乗籠、１ａ…乗口、１００…籠室、３…側壁、４…天井、４１…本天井、４２…意匠天井、４２１，４２２，４２９…天井セグメント、４２３…固定具、４２３Ａ…中間固定具、４２３Ｂ…終端固定具、４２３Ｃ…ブラケット（固定具）、４２３Ｄ…連結具（固定具）、４２３Ｅ…接合片（固定具）、４２４…エンドカバー、４２４Ａ…第１のエンドカバー、４２４Ｂ…第２のエンドカバー、４２５…クイックファスナ、４２５Ａ…係止受座、４２５Ｂ…基台、４２５Ｃ…レバー、４２５Ｄ…係止片、４２５Ｅ…ピン、４２５Ｈ…係止ブロック、４２５Ｍ…係止フック、４２６…懸垂アーム、４３…レール、４３１…切欠部、４４Ａ…係合部、４４Ｂ…被係合部。
【図１】
0005665084.tif 000002
【図２】
0005665084.tif 000003
【図３】
0005665084.tif 000004
【図４】
0005665084.tif 000005
【図５】
0005665084.tif 000006
【図６】
0005665084.tif 000007
【図７】
0005665084.tif 000008
【図８】
0005665084.tif 000009
【図９】
0005665084.tif 000010
【図１０】
0005665084.tif 000011
【図１１】
0005665084.tif 000012
【図１２】
0005665084.tif 000013
【図１３】
0005665084.tif 000014
【図１４】
0005665084.tif 000015
【図１５】
0005665084.tif 000016
【図１６】
0005665084.tif 000017
【図１７】
0005665084.tif 000018
【図１８】
0005665084.tif 000019
【図１９】
0005665084.tif 000020
【図２０】
0005665084.tif 000021